(57)【要約】【課題】ユーザーにとってコストと空間の節約が得られる統合型マルチメディア装置を提供する。【解決手段】吸込み式ビデオディスクプレーヤーと記憶装置スロットを、テレビに統合し、また、音声処理について、従来のテレビが使用するアナログ増幅器の代わりに、ディジタル増幅器を使用するため、テレビが出力する音声により良い音質を有し、本考案によれば、ビデオディスクプレーヤーと記憶装置を、テレビに統合するため、用途多元化が実現される。【選択図】図１
0003121271.tif 000002
【実用新案登録請求の範囲】
【請求項１】
ディスプレイと少なくとも一つのスピーカーが内蔵され、また、ビデオ信号を受信するための少なくとも一つの信号受信インターフェースが設けられるテレビと、
当該テレビに設置され、ディスクを実装するための入れ口が当該テレビの表面から露出する吸込み式ビデオディスクプレーヤーと、
当該テレビに設置され、規格が異なる少なくとも一つの記憶装置を実装するための入れ口が当該テレビの表面から露出する記憶装置スロットと、
当該テレビに設置され、当該信号受信インターフェースと当該吸込み式ビデオディスクプレーヤー及び当該記憶装置スロットに連接され、当該ビデオ信号と当該ディスクデータ及び当該記憶装置データを処理して、それぞれ、当該表示装置と当該スピーカーに送信して放送するビデオ処理器とオーディオ処理器と、
当該スピーカーと当該オーディオ処理器との間に設置され、当該オーディオ処理器が送信したデータを変換して、当該スピーカーが放送する音質が向上されるディジタル増幅器と、含有されることを特徴とする統合型マルチメディア装置。
【請求項２】
当該記憶装置は、メモリカードやポータブルＨＤＤであることを特徴とする請求項１に記載の統合型マルチメディア装置。
【請求項３】
当該メモリカードは、SD(Secured Digital)カードやMMC(Multi Media card)、SM(Smart Media)（登録商標）カード、MS(Memory Stick)カード、CF(Compact Flash)カード、XD Pictureメモリカード及びマイクロドライバー(Micro Driver)からなる群から選ばれる何れかの一つであることを特徴とする請求項２に記載の統合型マルチメディア装置。
【請求項４】
当該ポータブルＨＤＤは、USB(Universal Serial Bus)インターフェース型式であることを特徴とする請求項２に記載の統合型マルチメディア装置。
【請求項５】
当該ビデオ処理器及び当該オーディオ処理器と、当該信号受信インターフェース及び当該吸込み式ビデオディスクプレーヤー及び当該記憶装置スロットとの間に、更に、当該信号受信インターフェースと当該吸込み式ビデオディスクプレーヤー及び当該記憶装置スロットの放送と切替え動作を制御するための制御器が設けられることを特徴とする請求項１に記載の統合型マルチメディア装置。
【請求項６】
当該制御器は、当該制御器のオペレーティングシステムデータを記憶するための電気的消去可能ＰＲＯＭ(EEPROM)が連接されることを特徴とする請求項５に記載の統合型マルチメディア装置。
【請求項７】
当該オペレーティングシステムデータは、切替えメニューと調整メニュー等であることを特徴とする請求項６に記載の統合型マルチメディア装置。
【請求項８】
当該ディスクのフォーマットは、DVDやVCD、CD及びMP3からなる群から選ばれる何れかの一つであることを特徴とする請求項１に記載の統合型マルチメディア装置。
【請求項９】
当該ビデオ信号は、アナログ信号やディジタル信号であることを特徴とする請求項１に記載の統合型マルチメディア装置。
【請求項１０】
当該ビデオ処理器と当該オーディオ処理器が処理するデータは、画像ファイルや音声ファイル、ビデオファイル及び当該ビデオ信号であることを特徴とする請求項１に記載の統合型マルチメディア装置。
【請求項１１】
当該信号受信インターフェースは、NTSC(National Television System Committee)やPAL(Phase Alternation Line)、HDTV(High-definition Television)色差入力端子、S-V端子、AV端子及びDVI(Digital Video Interactive)からなる群から選ばれる何れかの一つであることを特徴とする請求項１に記載の統合型マルチメディア装置。
【請求項１２】
当該表示装置は、液晶ディスプレイ(Liquid Crystal Display、LCD)であることを特徴とする請求項１に記載の統合型マルチメディア装置。
【考案の詳細な説明】
【技術分野】
【０００１】
本考案は、テレビシステムに関し、特に、メモリカードとコンパクトディスクを読取るプレーヤーをテレビに統合する、高音質を有する統合型マルチメディア装置に関する。
【背景技術】
【０００２】
テレビは、日常生活において、不可欠な用品であり、大量的且つ快速的にメッセージを伝播し、距離による制限がない特性を有するため、様々の番組により新しい知識やニュースを提供でき、また、娯楽性番組は、大勢の人にとって、重要な暇潰しである。
【０００３】
今まで、テレビは、テレビの番組を聴視することだけに供され、テレビでDVDコンパクトディスクを放送する場合、外付けの回線により、DVDビデオディスクプレーヤーとテレビを連接し、また、ユーザーが、携帯式メモリカードを読取る時、例えば、常用のマルチメディアメモリカード(Multi Media card)やSMカード(Smart Media card  登録商標)、xDピクチャーカード(xD-Picture card)或いはマイクロドライバー(Micro Driver)等を読取る時、カード読取り装置をコンピュータに連接して読取ることが必要であり、生活品質を益々追及する人にとって、不便であることだけでなく、ビデオディスクプレーヤーやコンピュータを設置するスペースが必要され、また、ユーザーがビデオディスクプレーヤーやカード読取り装置を設置する場合、たくさんの連接用回線が使用されるため、環境の清潔に不利的である。
【０００４】
また、今までの従来のテレビは、使用された音響拡大器が、アナログ増幅器であり、当該増幅器は、大きい環状変圧器と大型のフィルターコンデンサーが含有され、また、複数の電界効果トランジスタで駆動し、そして、演算する時、誤差が大きく、また、アナログシステムは、小さい信号を、直接に、トランジスタ増幅器により増幅するため、ノイズによって干渉されやすい。
【０００５】
本考案は、上記の問題を解消するため、統合型マルチメディア装置を提案する。
【考案の開示】
【考案が解決しようとする課題】
【０００６】
本考案の主な目的は、メモリカードとビデオディスクプレーヤーをテレビに統合することにより、テレビの用途多元化が実現され、テレビにレジャー娯楽を多重選択する効果及びコストの節約という利点が得られる統合型マルチメディア装置を提供する。
【０００７】
本考案の他の目的は、ディジタル増幅器を採用することにより、テレビの放送音質を良くする統合型マルチメディア装置を提供する。
【０００８】
本考案の更に他の目的は、外付けのカード読取り装置やビデオディスクプレーヤーが要らないため、ユーザーにとって便利性の向上と設置空間の節約が実現され、従来の技術において外付けの回線による不便等を解消できる統合型マルチメディア装置を提供する。
【課題を解決するための手段】
【０００９】
本考案に係わる統合型マルチメディア装置によれば、テレビがあり、当該テレビに、ディスプレイと少なくとも一つのスピーカーが内蔵され、また、ビデオ信号を受信するための少なくとも一つの信号受信インターフェースが設けられ、そして、吸込み式ビデオディスクプレーヤーと記憶装置スロットが設けられ、当該吸込み式ビデオディスクプレーヤーと記憶装置スロットの入れ口が、テレビの表面から露出し、それぞれに、ディスクや記憶装置が入れ込まれ、また、当該テレビに、信号受信インターフェースと吸込み式ビデオディスクプレーヤー及び記憶装置スロットに連接されるビデオ処理器とオーディオ処理器が設置され、当該ビデオ処理器とオーディオ処理器により、ビデオ信号やディスクデータ及び記憶装置データが、処理され、そして、それぞれ、表示装置とスピーカーに送信されて放送され、また、スピーカーとオーディオ処理器との間に、ディジタル増幅器が設置され、当該オーディオ処理器が送信したデータを変換することにより、スピーカーから放送される音質が向上される。
【００１０】
以下、図面を参照しながら、具体的な実施例を挙げて、本考案の目的や技術内容、特徴及び効果を詳しく説明する。
【考案を実施するための最良の形態】
【００１１】
本考案は、統合型マルチメディア装置であり、ビデオディスクプレーヤーと携帯式記憶装置スロットをテレビに統合することにより、テレビが、より多い用途に利用され、また、従来のテレビのように、カード読取り装置やビデオディスクプレーヤーを外付けることが必要しないため、設置空間の節約をでき、また、従来の配線問題もない。
【００１２】
図１のように、当該統合型マルチメディア装置は、テレビ12があり、当該テレビ12に、ビデオ信号を受信するための二つの信号受信インターフェース14が内蔵され、当該ビデオ信号が、アナログ信号やディジタル信号であり、また、当該二つの信号受信インターフェース14が、それぞれ、NTSC(National Television System Committee)インターフェース及びAV端子インターフェースであり、また、当該信号受信インターフェース14が、PAL(Phase Alternation Line)やHDTV(High-definition Television)色差入力端子、S-V端子及びDVI(Digital Video Interactive)からなる群から選ばれる何れかの一つでもいい。
【００１３】
また、当該テレビ12に、吸込み式ビデオディスクプレーヤー16が内蔵され、当該吸込み式ビデオディスクプレーヤー16のディスク18を吸込むための入れ口が、テレビ12のハウジングの表面から露出し、当該ディスク18は、一般の半径が12ｃｍや8ｃｍであるコンパクトディスクで、フォーマットが、DVDやVCD、CD及びMP3からなる群から選ばれる何れかの一つであり、また、当該テレビ12に、記憶装置スロット20が内蔵され、当該記憶装置スロット20は、同じように、入れ口が当該テレビ12のハウジングの表面から露出し、記憶装置22を挿入するためのもので、当該記憶装置22は、メモリカードやポータブルＨＤＤで、当該ポータブルＨＤＤが、USB(Universal Serial Bus)インターフェース型式であり、当該メモリカードが、SD(Secured Digital)カードやMMC(Multi Media card)、SM(Smart Media）（登録商標)カード、MS(Memory Stick)カード、CF(Compact Flash)カード、XD Pictureメモリカード及びマイクロドライバー(Micro Driver)からなる群から選ばれる何れかの一つであり、また、当該ディスク18や当該記憶装置22に記憶されるデータは、大部分が、画像ファイルと音声ファイル及びビデオファイル等である。
【００１４】
当該テレビ12に、更に、信号受信インターフェース14と吸込み式ビデオディスクプレーヤー16及び記憶装置スロット20に連接されるビデオ処理器24とオーディオ処理器26が設けられ、当該ビデオ処理器24とオーディオ処理器26は、ビデオ信号とディスクデータ及び記憶装置データを処理し、それぞれ、表示装置28とスピーカー30に送信して放送し、当該表示装置28が、液晶ディスプレイ(Liquid Crystal Display、LCD)であり、また、スピーカー30とオーディオ処理器26との間に、オーディオ処理器26が送信したデータを変換するディジタル増幅器32が設けられ、これにより、当該スピーカーが放送した音声に、より良い音質を持つ。
【００１５】
また、テレビ12に、制御器34が内蔵され、当該制御器34は、ビデオ処理器24及びオーディオ処理器26と、信号受信インターフェース14及び吸込み式ビデオディスクプレーヤー16及び記憶装置スロット20との間に設けられ、信号受信インターフェース14と吸込み式ビデオディスクプレーヤー16及び記憶装置スロット20の作動を制御し、また、電気的消去可能ＰＲＯＭ(EEPROM)36に連接され、当該ＲＯＭ36に、当該制御器34のオペレーティングシステムデータが記憶され、例えば、切替えメニューと調整メニュー等であり、また、当該制御器34は、リモコン38から命令を指示して作動を制御することができ、例えば、チャンネル選択や音量調整或いはモード切替え等である。
【００１６】
そのため、ユーザーが当該統合型マルチメディア装置を使用する時、テレビ12の電源を投入し、リモコン38で、メニューによりマルチメディア放送機能を選択すれば、この時、記憶装置スロット20と吸込み式ビデオディスクプレーヤー16に、それぞれ、記憶装置22とディスク18が実装されている場合、記憶装置22モードに切替えると、制御器34が、自動的に記憶装置22の内容を読取り、記憶装置22に放送可能である画像ファイルや音声ファイル及びビデオファイル等が記憶されていれば、表示し、これにより、ユーザーが、其れを表示装置28に表示させ、リモコン38で放送を選択する場合、吸込み式ビデオディスクプレーヤー16モードに切替えると、ディスク18が放送可能であるビデオコンパクトディスク(VCD、DVD)であれば、自動的に放送し、ディスク18がビデオコンパクトディスクでなければ、ディスク18のデータ内容を表示する。
【００１７】
上記のように、本考案は、記憶装置とコンパクトディスクをテレビに統合することにより、テレビの用途多元化が実現され、テレビにレジャー娯楽を多重選択する効果が得られ、また、放送する時、ディジタル増幅器による変換により、テレビの放送音質が良くなるため、ユーザーが、カード読取り装置やビデオディスクプレーヤーを増設することが要らなくなり、コストの節約が実現され、また、カード読取り装置やビデオディスクプレーヤーを外付けることが要らないため、ユーザーにとって便利性の向上と設置空間の節約が実現され、従来の技術において外付けの回線による不便等を解消できる。
【００１８】
以上は、ただ、本考案のより良い実施例であり、実施例を挙げて、本考案の特徴や目的を説明し、当該技術を良く分かる熟練者であれば、本考案の内容に従って実施できるが、本考案の実用新案登録請求の範囲は、それによって制限されない。本考案の実用新案登録請求の範囲に記載される構造や形状、特徴及び精神に従って、等価な変更や修正は、全てが、本考案の実用新案登録請求の範囲に含まれる。
【図面の簡単な説明】
【００１９】
【図１】本考案のブロック概念図。
【符号の説明】
【００２０】
12  テレビ
14  信号受信インターフェース
16  吸込み式ビデオディスクプレーヤー
18  ディスク
20  記憶装置スロット
22  記憶装置
24  ビデオ処理器
26  オーディオ処理器
28  表示装置
30  スピーカー
32  ディジタル増幅器
34  制御器
36  ＲＯＭ
38  リモコン
【図１】
0003121271.tif 000003
【手続補正書】
【提出日】平成18年1月5日(2006.1.5)
【手続補正１】
【補正対象書類名】実用新案登録請求の範囲
【補正対象項目名】請求項３
【補正方法】変更
【補正の内容】
【請求項３】
当該メモリカードは、SD(Secured Digital)カードやMMC(Multi Media card)、SM(Smart Media)（登録商標)カード、MS(Memory
Stick)（登録商標）カード、CF(Compact Flash)カード、XD Pictureメモリカード及びマイクロドライバー(Micro
Driver)からなる群から選ばれる何れかの一つであることを特徴とする請求項２に記載の統合型マルチメディア装置。
【手続補正２】
【補正対象書類名】明細書
【補正対象項目名】００１３
【補正方法】変更
【補正の内容】
【００１３】
また、当該テレビ12に、吸込み式ビデオディスクプレーヤー16が内蔵され、当該吸込み式ビデオディスクプレーヤー16のディスク18を吸込むための入れ口が、テレビ12のハウジングの表面から露出し、当該ディスク18は、一般の半径が12ｃｍや8ｃｍであるコンパクトディスクで、フォーマットが、DVDやVCD、CD及びMP3からなる群から選ばれる何れかの一つであり、また、当該テレビ12に、記憶装置スロット20が内蔵され、当該記憶装置スロット20は、同じように、入れ口が当該テレビ12のハウジングの表面から露出し、記憶装置22を挿入するためのもので、当該記憶装置22は、メモリカードやポータブルＨＤＤで、当該ポータブルＨＤＤが、USB(Universal
Serial Bus)インターフェース型式であり、当該メモリカードが、SD(Secured Digital)カードやMMC(Multi Media card)、SM(Smart
Media)（登録商標)カード、MS(Memory Stick)（登録商標）カード、CF(Compact Flash)カード、XD Pictureメモリカード及びマイクロドライバー(Micro
Driver)からなる群から選ばれる何れかの一つであり、また、当該ディスク18や当該記憶装置22に記憶されるデータは、大部分が、画像ファイルと音声ファイル及びビデオファイル等である。
【手続補正書】
【提出日】平成18年2月8日(2006.2.8)
【手続補正１】
【補正対象書類名】実用新案登録請求の範囲
【補正対象項目名】請求項３
【補正方法】変更
【補正の内容】
【請求項３】
当該メモリカードは、SD(Secured Digital)カードやMMC(Multi Media card) （登録商標)、SM(Smart Media)（登録商標)カード、MS(Memory Stick)（登録商標）カード、CF(Compact Flash) （登録商標)カード、xDピクチャーカード(xD-Picture card) （登録商標）及びマイクロドライバー(Micro  Driver)からなる群から選ばれる何れかの一つであることを特徴とする請求項２に記載の統合型マルチメディア装置。
【手続補正２】
【補正対象書類名】明細書
【補正対象項目名】０００３
【補正方法】変更
【補正の内容】
【０００３】
今まで、テレビは、テレビの番組を聴視することだけに供され、テレビでDVDコンパクトディスクを放送する場合、外付けの回線により、DVDビデオディスクプレーヤーとテレビを連接し、また、ユーザーが、携帯式メモリカードを読取る時、例えば、常用のマルチメディアメモリカード(Multi Media card) （登録商標）やSM(Smart Media)（登録商標)カード、xDピクチャーカード(xD-Picture card) （登録商標）或いはマイクロドライバー(Micro Driver)等を読取る時、カード読取り装置をコンピュータに連接して読取ることが必要であり、生活品質を益々追及する人にとって、不便であることだけでなく、ビデオディスクプレーヤーやコンピュータを設置するスペースが必要され、また、ユーザーがビデオディスクプレーヤーやカード読取り装置を設置する場合、たくさんの連接用回線が使用されるため、環境の清潔に不利的である。
【手続補正３】
【補正対象書類名】明細書
【補正対象項目名】００１３
【補正方法】変更
【補正の内容】
【００１３】
また、当該テレビ12に、吸込み式ビデオディスクプレーヤー16が内蔵され、当該吸込み式ビデオディスクプレーヤー16のディスク18を吸込むための入れ口が、テレビ12のハウジングの表面から露出し、当該ディスク18は、一般の半径が12ｃｍや8ｃｍであるコンパクトディスクで、フォーマットが、DVDやVCD、CD及びMP3からなる群から選ばれる何れかの一つであり、また、当該テレビ12に、記憶装置スロット20が内蔵され、当該記憶装置スロット20は、同じように、入れ口が当該テレビ12のハウジングの表面から露出し、記憶装置22を挿入するためのもので、当該記憶装置22は、メモリカードやポータブルＨＤＤで、当該ポータブルＨＤＤが、USB(Universal Serial Bus)インターフェース型式であり、当該メモリカードが、SD(Secured Digital)カードやMMC(Multi Media card) （登録商標)、SM(Smart Media)（登録商標)カード、MS(Memory Stick)（登録商標）カード、CF(Compact Flash) （登録商標)カード、xDピクチャーカード(xD-Picture card) （登録商標）及びマイクロドライバー(Micro Driver)からなる群から選ばれる何れかの一つであり、また、当該ディスク18や当該記憶装置22に記憶されるデータは、大部分が、画像ファイルと音声ファイル及びビデオファイル等である。